(57)【要約】【課題】光源と点灯装置とが一体化された光源装置を備え、小型で放熱性が高く、不要な高周波ノイズが少ない照明器具を提供する。【解決手段】ＬＥＤ３４を実装する実装面３３ａを備える光源基板３３と、板状の第１の平板部３６ａと、第１の平板部３６ａに対向する板状の第２の平板部３６ｂと、第１の平板部３６ａと第２の平板部３６ｂとを接続する板状の接続部３６ｃとを有し、第１の平板部３６ａのうちの第２の平板部３６ｂに面する側の面の反対側の面である第１の外側面が、実装面の裏面に密着するように、光源基板３３に対して固定されるとともに、ＬＥＤ３４を点灯させる点灯装置３５が内部に配置された外囲器３６とを備えた光源装置３０と、器具本体１４とを備え、光源装置３０は、外囲器３６の第２の平板部３６ｂのうちの第１の平板部３６ａに面する側の面の反対側の面である第２の外側面が、器具本体１４の本体内面１４ａに密着する。【選択図】図３
2014044877.tif 000002
【特許請求の範囲】
【請求項１】
光源を実装する実装面を備える光源基板と、
板状の第１の平板部と、前記第１の平板部に対向する板状の第２の平板部と、前記第１の平板部と前記第２の平板部とを接続する板状の接続部とを有し、前記第１の平板部のうちの前記第２の平板部に面する側の面の反対側の面である第１の外側面が、前記実装面の裏面に密着するように、前記光源基板に対して固定されるとともに、前記光源を点灯させる点灯装置が前記第１の平板部と前記第２の平板部との間に配置された外囲器と
を備えた光源装置と、
取付面を有する器具本体と
を備え、
前記光源装置は、
前記外囲器の前記第２の平板部のうちの前記第１の平板部に面する側の面の反対側の面である第２の外側面が、前記器具本体の前記取付面に密着することを特徴とする照明器具。
【請求項２】
前記照明器具は、
長手方向に延びた形状であり、長手方向の一方の端部が前記器具本体の前記取付面に固定されるとともに、長手方向の他方の端部が前記光源基板に固定された光源装置支持部を備えたことを特徴とする請求項１に記載の照明器具。
【請求項３】
前記光源基板は、
前記光源装置支持部の前記他方の端部と固定された基板側固定部を備えたことを特徴とする請求項２に記載の照明器具。
【請求項４】
前記光源装置支持部は、
絶縁部材で形成された中空形状であり、
前記基板側固定部は、
導電性を有するとともに前記光源基板と電気的に絶縁されて前記光源基板に取り付けられ、前記光源装置支持部の中空形状の内部を通る電線であって電源に接続される電線と電気的に接続されるとともに、前記第１の平板部と前記第２の平板部との間に配置された前記点灯装置と電気的に接続され、前記電源から前記電線を介して前記点灯装置に電力を給電する
ことを特徴とする請求項３に記載の照明器具。
【請求項５】
前記外囲器は、
金属板により形成され、前記第１の平板部と前記第２の平板部と４つの前記接続部とを備えた箱形状であることを特徴とする請求項１〜４のいずれかに記載の照明器具。
【請求項６】
前記外囲器は、
金属板により形成され、前記第１の平板部と前記第２の平板部と３つの前記接続部とを備えた一面が開口する箱形状であることを特徴とする請求項１〜４のいずれかに記載の照明器具。
【発明の詳細な説明】
【技術分野】
【０００１】
この発明は、発光ダイオード（以下ＬＥＤと称する）等の光源を備える照明器具に関する。
【背景技術】
【０００２】
特許文献１に開示されている装置は、ＬＥＤを使用した発光装置を用いる従来技術である。特許文献の図２Ａ及び図２Ｂは、ダウンライト照明器具にＬＥＤを光源とする発光装置を使用した例である。この装置では、照明器具は、ＬＥＤを装着した基板を備える発光装置と、照明器具に備えられ放熱機能を有するケースと、発光装置のＬＥＤを点灯させる点灯装置とからなる。
【０００３】
点灯装置は、外部電源から発光装置のＬＥＤに直流電流を供給するための点灯回路を含む。また、点灯装置は、発光装置と分離され照明器具のケースに取り付けられており、外部電源から所定の直流電流を生成する。点灯装置は、生成した直流電流を出力端子から照明器具の内部配線などによりＬＥＤを装着した発光装置に入力している。さらに、ケースは、発光装置を取り付けるための仕切り板を有し、発光装置の放熱を行う。
【０００４】
以上のように構成された特許文献１に開示されている装置において、商用交流電源等の外部電源が供給されると点灯装置は発光装置のＬＥＤに所定の直流電流を供給し、ＬＥＤが点灯する。これにより、発光装置から発する光は照明器具から所定の配光特性に従って外部を照射する。このとき発光装置のＬＥＤは、光の発生とともに熱を発生する。この発生した熱は、ＬＥＤを装着した基板からケースに伝達され、照明器具の外部へと放熱される。
【先行技術文献】
【特許文献】
【０００５】
【特許文献１】特開２０１２−８４７３３号公報（図２Ａ，図２Ｂ）
【発明の概要】
【発明が解決しようとする課題】
【０００６】
しかしながら、特許文献１に開示されている装置では、点灯装置と発光装置とが分離されており、ケースには点灯装置を収納するためのスペースが必要になるので照明器具全体として形状が大きくなり易いという課題がある。
【０００７】
また、発光装置と点灯装置とを分離しているため照明器具からの不要な高周波ノイズが多くなりやすいという課題がある。この不要な高周波ノイズは、例えば、点灯装置の点灯回路内での高周波スイッチング動作などで発生した高周波ノイズが、点灯装置の基板や外部電源からの入力配線、直流側の出力配線などを介して伝導されることにより発生する。
【０００８】
本発明は、光源と点灯装置とが一体化されて構成されるとともに、外部電源の入力部を備えた光源装置を備え、器具を小型化するとともに、放熱性が高く、不要な高周波ノイズが少ない照明器具を提供することを目的とする。
【課題を解決するための手段】
【０００９】
本発明に係る照明器具は、光源を実装する実装面を備える光源基板と、板状の第１の平板部と、前記第１の平板部に対向する板状の第２の平板部と、前記第１の平板部と前記第２の平板部とを接続する板状の接続部とを有し、前記第１の平板部のうちの前記第２の平板部に面する側の面の反対側の面である第１の外側面が、前記実装面の裏面に密着するように、前記光源基板に対して固定されるとともに、前記光源を点灯させる点灯装置が前記第１の平板部と前記第２の平板部との間に配置された外囲器とを備えた光源装置と、取付面を有する器具本体とを備え、前記光源装置は、前記外囲器の前記第２の平板部のうちの前記第１の平板部に面する側の面の反対側の面である第２の外側面が、前記器具本体の前記取付面に密着することを特徴とする。
【発明の効果】
【００１０】
本発明によれば、光源基板と点灯装置を配置した外囲器とを一体化して光源装置として器具本体に装着することにより、装置を小形化できるとともに不要な高周波ノイズを低減することができる。
【図面の簡単な説明】
【００１１】
【図１】実施の形態１に係る照明器具１００の斜視図である。
【図２】実施の形態１に係る照明器具１００のＡ−Ａ断面の概略図である。
【図３】実施の形態１に係る照明器具１００のＢ−Ｂ断面図である。
【図４】実施の形態１に係る光源装置支持部２０の構造を示す図であり、（ａ）は光源装置支持部２０の分解斜視図、（ｂ）は光源装置支持部２０と受電部３２との取付状態を示す図である。
【図５】実施の形態１に係る光源装置３０と光源装置支持部２０との取付状態を示す図である。
【図６】実施の形態１に係る光源装置３０が器具本体１４に取り付けられている状態の光源装置３０をＣ方向（図２参照）から見た断面の模式図である。
【図７】実施の形態２に係る光源装置３０１の断面の模式図である。
【発明を実施するための形態】
【００１２】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る照明器具１００の斜視図である。図２は、本実施の形態に係る照明器具１００のＡ−Ａ断面の概略図である。
【００１４】
図１及び図２に示すように、照明器具１００は、光源装置３０、器具構造体１１、反射板１２、光出力面１３、器具本体１４を備える。照明器具１００は、例えば、スポットライト、あるいは投光器等と称される種類の照明器具である。照明器具１００の光出力面１３は、長方形であるが、正方形の形状でもよい。あるいは、光源装置３０を使用する照明器具は、照射面（光出力面１３）が角形のものだけでなく、一般のダウンライトのような円形の外周を有する照明器具にも適用できる。
【００１５】
光源装置３０は、外部電源から電力が供給されると光源が発光する装置である。光源装置３０の詳細構造については後述する。
【００１６】
図２に示すように、器具本体１４の光出力方向（Ｐ方向）側の面（以下、器具本体１４の本体内面１４ａとする）には、光源装置３０が取り付けられる。反射板１２は、本体内面から光り出力方向に形成され、光源装置３０から発せられる光を配光する。光源取付面の裏面（本体外面１４ｂ）には、器具構造体１１が取り付けられる。あるいは、器具構造体１１と器具本体１４とは一体構造であってもよい。つまり、器具構造体１１の光源装置３０側の面が器具本体１４となっていてもよい。
【００１７】
図１及び図２に示すように、光源装置３０は、照明器具１００の奥部に配置されている。光源装置３０からはＰ方向に光が照射される。また照明器具の前面（光出力面１３）は、例えば、照明器具１００を上方に向けて照射するように使用する場合には、必要に応じて適宜ガラス板等のカバーを備えるようにしてもよい。あるいは、例えば、照明器具１００を下方に向けて照射するように使用する場合には、ＬＥＤの温度を下げるためにカバーがなくてもよい。
【００１８】
図３は、本実施の形態に係る照明器具１００のＢ−Ｂ断面図である。図３を用いて、照明器具１００について、さらに詳しく説明する。
【００１９】
照明器具１００は、外部電源４に接続される。外部電源４は、例えば、商用交流電源である。あるいは、ＬＥＤ３４を点灯する直流電流を生成できるものであれば、例えば、太陽電池やその他の直流電源から受電してもよい。
【００２０】
器具構造体１１には、外部電源４を受電するための電源端子台などの装置が配置される。器具構造体１１は、電源端子台などの装置を収納可能なケース状でもよいし、あるいは、電源端子台などの装置を取り付け可能な構造を備えていてもよい。器具構造体１１の光源装置３０側の面は、器具本体１４となっている。あるいは、器具構造体１１の光源装置３０側の面と器具本体１４の本体外面１４ｂとが当接して固定されていてもよい。本実施の形態では、器具構造体１１と器具本体１４とが一体形成されており、器具構造体１１の光源装置３０側の面が器具本体１４となっているものとする。
【００２１】
光源装置３０は、光源基板３３、ＬＥＤ３４、点灯装置３５、外囲器３６、受電部３２を備える。
光源基板３３は、Ｐ方向側の面である実装面にＬＥＤ３４を実装する。ＬＥＤ３４は、光源基板３３の実装面３３ａの中央にＣＯＢ（Ｃｈｉｐ・ｏｎ・Ｂｏａｒｄ）技術等を用いて配置すると点光源として機能させることができる。しかし、複数のＬＥＤ３４を光源基板３３の実装面３３ａ上に適宜分散配置してもよい。
【００２２】
点灯装置３５は、外囲器３６の内部に収納され、外部電源４から供給される電力により、直流電流を生成しＬＥＤ３４を点灯する。点灯装置３５は、ＬＥＤ３４に所定の直流電流を供給するような機能を有するものであり、例えば、商用交流電源（外部電源４）を整流した直流電圧から直流電流に変換するコンバータを備えたものなどでよい。
【００２３】
外囲器３６は、光源基板３３の実装面の裏面と密着しているとともに、器具本体１４の本体内面１４ａと密着している。外囲器３６は、板状の第１の平板部３６ａと、前記第１の平板部３６ａに対向する板状の第２の平板部３６ｂと、前記第１の平板部３６ａと前記第２の平板部３６ｂとを接続する板状の接続部３６ｃとを有する。外囲器３６は、金属板により形成され、第１の平板部３６ａと第２の平板部３６ｂと４つの接続部３６ｃとを備えた箱形状である。外囲器３６は、第１の平板部３６ａのうちの第２の平板部に面する側の面の反対側の面である第１の外側面３６ｄが、実装面の裏面３３ｂに密着するように、光源基板３３に対して固定される。また、外囲器３６は、ＬＥＤ３４を点灯させる点灯装置３５が第１の平板部３６ａと第２の平板部３６ｂとの間に配置される。
【００２４】
受電部３２は、導電性を有し、光源基板３３と電気的に絶縁されて光源基板３３に取り付けられる。受電部３２が後述する光源装置支持部２０の給電部２１と物理的に固定されることにより、光源装置３０は光源装置支持部２０により器具本体１４に固定される。また、受電部３２は、後述する光源装置支持部２０の給電部２１と電気的に接続される。さらに、受電部３２は、外囲器３６の内部に配置された点灯装置３５と電気的に接続される。以下の説明において、受電部３２は受電のための手段（受電手段）を有するものとする。
【００２５】
図３に示すように、受電部３２は、光源基板３３の両側の端部から突き出しているが、導電性を有し、光源基板３３と電気的に絶縁されて取り付けられ、給電部２１と物理的に固定されるとともに給電部２１及び点灯装置３５と電気的に接続されるものであれば、その形状、配置位置等はどのような態様でも構わない。
【００２６】
照明器具１００は、光源装置３０を器具本体１４に支持する光源装置支持部２０を備える。光源装置支持部２０は、長手方向に延びた形状の支持本体部２４と、支持本体部２４の長手方向の一方の端部に設けられた器具本体１４の本体内面１４ａ（取付面）に固定される支持取付部２３と、長手方向の他方の端部に設けられた給電部２１とを備える。
【００２７】
図３に示すように、光源装置支持部２０は、器具構造体１１の内部の電源端子台等に電線２２等を介して電気的に接続され、給電部２１、受電部３２を介して、外部電源４からの電力を光源装置３０に供給する。
【００２８】
支持本体部２４は、例えば、表面が絶縁材料でコーティングされた金属柱であり、一方の端部は電源端子台等に接続された電線と電気的に接続し、他方の端部（給電部３２）を介して受電部３２に給電するものでもよい。あるいは、支持本体部２４は、絶縁材料で形成された棒状の柱に、導電体が一方の端部から他方の端部まで貫通するように差し込まれたものでもよい。あるいは、後述するように、内部に空洞を有し、支持本体部２４の空洞を一方の端部から他方の端部まで貫通した電線あるいは導電体などにより、給電部２１及び受電部３２を介して光源装置３０に給電するものでもよい。
【００２９】
上述したように、給電部２１と受電部３２とは物理的に固定されるとともに電気的に接続されるので、支持本体部２４の内部を通る導電体、給電部２１、受電部３２を介して、外部電源４から点灯装置３５に電力を給電する。
【００３０】
反射板１２は、ＬＥＤ３４が発する光に対して光学的な反射機能の役割を有する。光源装置３０のＬＥＤ３４がレンズ等により必要な配光特性を有している場合にはこのような光学的な反射機能の役割は少ない。
【００３１】
図４は、本実施の形態に係る光源装置支持部２０の構造の一例を示す図であり、（ａ）は光源装置支持部２０の分解斜視図、（ｂ）は光源装置支持部２０と受電部３２との取付状態を示す図である。
【００３２】
図４を用いて、光源装置支持部２０及び光源装置３０の構造について詳しく説明する。なお、図４（ｂ）では、受電部３２は光源装置３０に固定されているが、ここでは受電部３２のみを図示し、光源装置３０は省略している。
【００３３】
図４（ａ）に示すように、光源装置支持部２０は、例えば、樹脂等の絶縁部材で形成された中空の支持本体部２４を備える。支持本体部２４は、中空の四角柱形状であり、一方の端部に器具本体１４に取り付けるための取付部２３を備える。また、光源装置支持部２０は、他方の端部に開口２５を有し、この開口２５に給電部２１は取り付けられる。
【００３４】
取付部２３は、支持本体部２４の一方の端面の縁部の一部から、支持本体部２４の長手方向と直交する方向に突き出た部分である。取付部２３には、ネジを用いて支持本体部２４を器具本体１４に取り付けることができるようにネジ穴２３ａが設けられている。取付部２３は、例えば、器具本体１４（器具構造体１１でもよい）とネジなどの手段で固定される。
【００３５】
また、光源装置支持部２０の頭部（他方の端部）には、導電性金属片などで形成される給電部２１が備えられている。図４（ａ）に示すように、給電部２１は、断面Ｌ字形状に屈曲された導電性金属片である。給電部２１は、Ｌ字形状の一方の片を支持本体部２４の内部に挿入して、他方の片で支持本体部２４の開口２５を塞ぐように支持本体部２４の端部に固定されている。
【００３６】
図４（ｂ）に示すように、支持本体部２４は、取付部２３を器具本体１４にネジ止めするなどして取り付けられる。外被を有する電線２２は、支持本体部２４の内部に挿入された給電部２１の一方の片と、支持本体部２４の内部で電気的に接続される。電線２２は、支持本体部２４の中空の内部空間を通って器具構造体１１の内部に配線されており、器具構造体１１の内部で外部からの外部電源４と接続される。また、給電部２１は、例えば、ネジ穴２１ａを備える。給電部２１と受電部３２とは、ネジ止め等により固定される。あるいは、給電部２１と受電部３２とは圧入形状等を備えており、リベット等を給電部２１と受電部３２との圧入形状に圧入するなどして固定してもよい。給電部２１は、受電部３２を固定し、かつ、外囲器３６と器具構造体１１とを密着させる。
【００３７】
給電部２１がネジ穴２１ａを備え、かつ、給電部２１である導電性金属片が支持本体部２４において長手方向に調整可動できるようにしてあれば、器具構造体１１と外囲器３６との密着性をより高めて放熱効果を向上させることができる。
【００３８】
また、器具構造体１１は、鉄製の板金加工などが使用されることがあるが、本実施の形態に適用するには、さらに熱伝導効果を高めるために、器具構造体１１の外囲器３６と接する面（本体内面１４ａ）にアルミ板などの熱伝導率の高い材料を配置しておき、このアルミ板に外囲器を取り付けるようにするとＬＥＤの温度低減に効果がある。
【００３９】
図５は、本実施の形態に係る光源装置３０を光源装置支持部２０との取付状態を示す図である。図６は、本実施の形態に係る光源装置３０が器具本体１４に取り付けられている状態の光源装置３０をＣ方向（図２参照）から見た断面の模式図である。
【００４０】
光源基板３３は、ＬＥＤ３４を実装面３３ａに装着する。また、光源基板３３は、導電性金属片などで形成される受電手段を備えた受電部３２と密に接しており、さらに、点灯装置３５を内部に収納した外囲器３６と接している。ここで、受電部３２は、その受電手段とは絶縁した両面を有して光源基板３３及び外囲器３６と接している。この絶縁方法は絶縁シートなどをその間に介在させてもよい。
【００４１】
外囲器３６は、金属材料で構成される。外囲器３６は、光源基板３３の実装面３３ａの裏面３３ｂにネジ止め等により取り付けられる。受電部３２は、例えば、表面が絶縁部材でコーティングされた金属片である。受電部３２と外囲器３６の内部の点灯装置３５とは、電線により電気的につながれていてもよいし、たとえば、接続ピンなどにより接続されていてもよい。受電部３２は、光源基板３３及び外囲器３６と絶縁されて、点灯装置３５と電気的に接続されている。
【００４２】
外囲器３６は、箱型形状にして、絶縁性能を有する充填材料を封入してもよい。外囲器３６に絶縁性能を有する充填材料を封入することは、熱容量の増加と伝熱性能の向上になるので、ＬＥＤ３４の温度低減に効果がある。充填材料は、外囲器３６の内部の点灯装置３５の回路部品全体を埋める量でなくてもよい。回路部品の一部が充填されていれば熱伝導の向上に効果がある。
【００４３】
また、受電部３２は、光源基板３３に固定されていてもよいし、光源基板３３とは別部品でもよい。受電部３２は、図６では、光源基板３３と別の構造体であるが光源基板３３に受電手段を備えるようにしても良い。その場合は、受電手段となる導電性金属片には外部電源が印加されるので、直流電流を供給するＬＥＤ３４とは絶縁を行う。光源基板３３に受電手段を設けると、ＬＥＤ３４からの発熱が光源基板３３を介して外囲器３６に伝導する際に別構造の受電部３２を介さないので、熱抵抗を小さくでき、放熱効率を高め、ＬＥＤ３４の熱を低減できる。
【００４４】
図６に示すように、受電部３２である金属片を、光源基板３３と外囲器３６の第１の平板部３６ａとの間に挟んで、光源基板３３と受電部３２とＰ１部分と第１の平板部３６ａとをＰ１部分でネジ等を用いて共締めし、光源装置３０を形成してもよい。
【００４５】
光源装置３０は、一対の受電部３２が一対の光源装置支持部２０の給電部２１にネジ等により固定され（Ｐ２部分）、かつ受電できるようになっている。さらに、一対の受電部３２と一対の光源装置支持部２０の給電部２１とがネジ等により締められることで、外囲器３６の第２の平板部３６ｂが器具本体１４に密着する。
【００４６】
受電部３２は、光源装置支持部２０に固定した場合に、電気的接続とともに外囲器３６を器具構造体１１（器具本体１４）に接触させる。受電部３２は、外囲器３６を器具構造体１１（器具本体１４）に密着させるための機械的強度を保有している必要がある。
【００４７】
また、ＬＥＤ３４を装着した光源基板３３と受電部３２と、あるいは外囲器３６とを密に接触させるために、光源基板３３の実装面３３ａ側から、ネジやリベットなどの固定手段３７でこれらの２個の部材、あるいは３個の部材を共締めしてもよい。固定手段３７は、例えば、光源基板３３の外辺部に設けるなどができる。図５では、光源装置支持部２０を片方のみ示したが、反対側の受電部３２に相当する箇所にも光源装置支持部２０が配置される。
【００４８】
以上のように、本実施の形態に係る照明器具１００は、導電性金属片からなる給電部２１を備え、内部に空間を有する光源装置支持部２０が、固定位置の調整要素を備えて、光源装置３０と器具本体１４（器具構造体１１）とを密着するようにした。
【００４９】
また、本実施の形態に係る照明器具１００では、点灯装置３５の出力とＬＥＤ３４との間の接続は点灯装置３５から配線しても可能である。あるいは、ＬＥＤ３４の配置場所から比較的はなれた箇所に光源基板３３側から接続ピンを立て、その接続ピンに該当する近傍には外囲器３６に切欠きを設けて接続ピンから点灯装置３５側に電気的接続をしてもよい。このような構造とすることで、外囲器３６の外に配線がなくなり、高周波ノイズの低減に効果がある。
【００５０】
上記図３〜図６の説明では、光源基板３３と受電手段を備える受電部３２とを別々の面状の構造とした。しかしながら、光源基板３３の上に、例えば、実装面３３ａ側に受電手段を有する受電部３２を固定保持するようにしたものであってもよい。勿論、受電手段及び受電部３２と、ＬＥＤ３４とは、電気的な絶縁は講じる。このような構造とすることにより、光源装置３０の構成が簡素化されるのでＬＥＤ３４からの伝導、放熱効果が向上する。
【００５１】
以下に、照明器具１００の構造及び効果について説明する。
【００５２】
以上のように、本実施の形態に係る照明器具１００によれば、外部電源４が器具構造体１１から光源装置支持部２０の他方の端部に設けられた給電部２１に通電されると、光源装置３０の受電部３２から外部電源を受電し、点灯装置３５に通電する。これにより、点灯装置３５は所定の直流電流をＬＥＤ３４に供給し、ＬＥＤ３４が点灯する。このとき、光源基板３３の実装面の裏面と、外囲器の第１の平板部３６ａとは密着しているので、ＬＥＤ３４で発生した熱は、効率よく光源基板３３を通じて外囲器３６に伝わる。また、第２の平板部３６ｂと器具本体１４の本体内面１４ａとは密着しているので、外囲器３６に伝わった熱は、効率よく、器具本体１４、器具構造体１１に伝導し、器具構造体１１に伝導した熱は照明器具１００の外部へと放熱される。
【００５３】
また、本実施の形態に係る照明器具１００によれば、点灯装置３５と、ＬＥＤ３４を実装する光源基板３３とが近接しているので、点灯装置３５が外部電源４を受電して直流電流を生成し、生成した直流出力をＬＥＤ３４に供給する際の外部への不要な高周波ノイズの発生を低減することができる。また、点灯装置３５が金属製の外囲器３６により覆われているので、さらに、外部への不要な高周波ノイズの発生を低減することができる。
【００５４】
また、本実施の形態に係る照明器具１００によれば、ＬＥＤ３４と点灯装置３５が一体的に構成されるので器具が小型になること、さらに、ＬＥＤ３４で発生した熱を外囲器３６を介して効率よく外部へ放熱することでＬＥＤ３４の温度上昇を軽減できる。
【００５５】
高圧放電ランプや蛍光ランプなどの光源では、ランプの両端に電極とこれと電気的に接続された受電手段（口金或いは口金ピンなどと称された）を備えたものがある。これらは受電の際の高い電圧を考慮して両端に受電手段を備えた場合や、ランプそれ自体の重量を支える目的のために両端に備えた。ところが本実施の形態の照明器具１００では、給電と同時に自身の重量を支えるだけでなくＬＥＤ３４からの発熱を伝導させるための固定の役割を果たしている。
【００５６】
外囲器３６と器具構造体１１との熱的な接触を良好にし、熱伝導の効率をさらに高くするために、外囲器３６と器具構造体１１との間に熱伝導を良くするグリースの塗布、或いは熱伝導性の柔軟性を有したシートを介在させることが好適である。
【００５７】
本実施の形態に係る照明器具は、発光ダイオードなどの光源を具備する光源基板（発光手段）と、これを点灯する点灯装置と、この点灯装置を装着した外囲器とを熱的に結合するように一体化した光源装置を備える。また、この点灯装置に電源を供給するための給電部（給電手段）を備えた光源装置支持部を照明器具の器具構造体（器具本体）に固定し、点灯装置に給電するときに外囲器が照明器具の器具構造体（器具本体）に熱的に接触するようにした。これにより、器具を小型化できるとともに、放熱効率が高く、かつ、高周波ノイズの発生の少ない照明器具を構成することができる。
【００５８】
また、本実施の形態に係る照明器具は、光源装置が、導電性金属片からなる受電部（受電手段）を備えている。受電部は、点灯装置への給電機能を有するとともに、光源装置を器具本体に固定する機能も有し、照明器具の構成を簡単にするとともに、器具を小型化することができる。
【００５９】
以上のように、本実施の形態に係る照明器具は、発光するＬＥＤと点灯装置とを一体化した光源装置を備えるので器具が小型になり、さらに一体化することで高周波ノイズの低減を図ることができる。さらに、光源装置支持部に光源装置を取り付けることで、電気的接続が容易になり、外囲器と照明器具との接触が良くなり、ＬＥＤの温度低減に効果がある。
【００６０】
実施の形態２．
本実施の形態では、実施の形態１と異なる部分について説明する。
図７は、本実施の形態に係る光源装置３０１が器具本体１４に取り付けられている状態の光源装置３０１をＣ方向（図２参照）から見た断面の模式図である。図７において、実施の形態１で説明した機能構成と同様の機能構成については同一の符号を付し、その説明を省略する。
【００６１】
本実施の形態では、外囲器３６１の断面形状が略コの字形である。実施の形態１では外囲器３６は４つの接続部を有する箱形状であったが、本実施の形態では箱形状の一面が開口する形状である。外囲器３６１は、金属板により形成され、第１の平板部３６ａと第２の平板部３６ｂと３つの接続部３６ｃとを備え、一面（箱形状の側面のうちの１つの側面）が開口する箱形状である。あるいは、外囲器３６１は、箱形状の側面のうち、２つの側面が開口していてもよい。この構成の外囲器３６１では、ＬＥＤ３４の発生熱はコの字形状の外囲器の連続箇所（第１の平板部３６ａ、第２の平板部３６ｂ、接続部３６ｃ）から器具本体１４（器具構造体１１）に伝導し放熱する。
【００６２】
本実施の形態に係る外囲器３６１は、１面が開放されており、点灯装置３５の外囲器３６１への取り付けなどの作業が容易になる利点がある。
【００６３】
また、本実施の形態に係る外囲器３６１は、吸熱する面である受電部との接触面（第１の平板部３６ａ）と放熱する面である器具構造体１１との接触面（第２の平板部３６ｂ）は平坦な面とし、残りの熱を伝導させる面（接続部３６ｃ）には凹凸をつけて表面積をふやしても良い。受電部３２には、光源装置支持部２０の給電部２１から受電するための受電手段（図示せず）が備えられている。
【００６４】
本実施の形態では、ＬＥＤ３４を装着するものを光源基板と称したが、必ずしも１枚のプリント基板から構成される必要はなく、熱伝導のよい金属基板やこれと他の材料を組み合わせたり加工したものから形成してもよい。
【００６５】
本実施の形態に係る照明器具では、照明器具に取り付けた光源装置支持部の２個の給電部間に適合するように、光源装置の一対の受電部の受電手段間の寸法を合わせてあれば、ＬＥＤの出力電力が異なる光源装置であっても同じ照明器具に使用することができるので照明器具の標準化がはかれる効果がある。
【００６６】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６７】
４  外部電源、１１  器具構造体、１２  反射板、１３  光出力面、１４  器具本体、１４ａ  本体内面、１４ｂ  本体外面、２０  光源装置支持部、２１  給電部、２１ａ  ネジ穴、２２  電線、２３  取付部、２３ａ  ネジ穴、２４  支持本体部、２５  開口、３０  光源装置、３２  受電部、３２ａ  ネジ穴、３３  光源基板、３３ａ  実装面、３３ｂ  裏面、３４  ＬＥＤ、３５  点灯装置、３６  外囲器、３６ａ  第１の平板部、３６ｂ  第２の平板部、３６ｃ  接続部、３６ｄ  第１の外側面、１００  照明器具、３０１  光源装置、３６１  外囲器。
【図１】
2014044877.tif 000003
【図２】
2014044877.tif 000004
【図３】
2014044877.tif 000005
【図４】
2014044877.tif 000006
【図５】
2014044877.tif 000007
【図６】
2014044877.tif 000008
【図７】
2014044877.tif 000009